(57)【要約】【課題】台紙、色紙や、絵本、童話図書、百科事典、技術文献等の表裏板として利用される段ボール，板紙，厚紙等の補強対象板のコーナー部分を効果的に補強する構造簡単なコーナー補強シールを提供する。【解決手段】  補強対象板Ｂの隅角部Ｂ’が露出しないようにコーナー用補強片２で保護する。両辺用補強片３、３を、コーナー用補強片２の表面に重なるように折り込み接着する時に、コーナー用補強片２の表面上方に位置する辺用補強片３、３部分が全てコーナー用補強片２に接着される平面形状に形成する。そして、両辺用補強片３、３を、端面１３、１３がコーナーを挟む直角な各々の辺Ｂ１、Ｂ１に沿って現れることなく、コーナー用補強片２を補強するように直角な各々の辺Ｂ１、Ｂ１から折り込み接着して、コーナー用補強片２と、辺用補強片３、３とで補強対象板Ｂの隅角部Ｂ’を強固にくるむ。【選択図】図５
0003107785.tif 000002
【実用新案登録請求の範囲】
【請求項１】
接着材を塗布した面状片の一部に、補強対象板のコーナーを挟む直角二辺から折り込まれる辺用補強片を設けると共に、前記辺用補強片間の同面状片部分に前記辺用補強片と同方向に折り込まれるコーナー用補強片を設けてなり、前記面状片を補強対象板コーナーの表面に接着し、前記補強対象板の隅角部を含むコーナーを補強するようにそのコーナーの裏面に前記コーナー用補強片を折り込み接着し、且つ前記両辺用補強片を、前記補強対象板のコーナーを挟む直角二辺各々からコーナー用補強片の表面に重なるように折り込み接着することを特徴とするコーナー補強シール。
【請求項２】
前記面状片を、前記のように両辺用補強片をコーナー用補強片の表面に重なるように折り込み接着する時に、コーナー用補強片の表面上方に位置する辺用補強片部分が全てコーナー用補強片表面に接着される平面形状に形成することを特徴とする請求項１記載のコーナー補強シール。
【考案の詳細な説明】
【技術分野】
【０００１】
本考案は段ボール，板紙，厚紙等比較的強度がある補強対象板のコーナーを補強するコーナー補強シールに関するものである。
【背景技術】
【０００２】
段ボール紙，板紙，厚紙等比較的強度のある補強対象板は、台紙、色紙や、絵本、童話図書、百科事典、技術文献等の表裏板として盛んに使用されている。
この種、段ボール紙、板紙、厚紙等の補強対象板コーナーの補強シールではないが、図８及び図９に示すようにコーナー補強紙Ａ１として、裏面に粘着材を塗布した紙片に直角な切欠部４を設けると共に、その切欠部４の両延長上に各々折り線ｄ、ｄを介して三角形状の折り曲げ片５、５を連設した構成のものが知られている（例えば、特許文献１参照）。
この先行技術は、両折り線ｄ、ｄで囲まれた面６を紙束Ｃの裏側に接着し、二つの折り曲げ片５、５を紙束Ｃのコーナーを挟む辺Ｃ１、Ｃ１から折り曲げて紙束Ｃの表側に接着して紙束Ｃのコーナーを補強し、このコーナー補強紙Ａ１の働きで、下の紙束Ｃが一緒に持ち上がることによる用紙のホチキス部分からの破れや脱落を防止するようになっている。
【０００３】
ところで、前記する段ボール紙、板紙、厚紙等の補強対象板には長期に亘って安定した強度が要求される。コーナー補強策も、補強対象板を所定の強度に維持する上で有効である。
そこで、先行技術のコーナー補強紙に着目して前記補強対象板のコーナーを補強することが提案される。
しかし、現実問題として、図１０に示すように補強対象板Ｂコーナーの隅角部Ｂ’がそのコーナー補強紙Ａ１で保護できずに外部に露出するし、上側の折り曲げ片５の端面１５がコーナーを挟む辺Ｂ１に沿って現れる。
これでは、補強対象板Ｂコーナーの隅角部Ｂ’が障害物に突き当ったり擦過して損傷し、補強対象板Ｂの辺Ｂ１を触れる手指で折り曲げ片５がめくられて剥がれる等、耐久信頼性が乏しい問題を惹起してしまう。
【特許文献１】特開２００１−３２２１９１号公報
【考案の開示】
【考案が解決しようとする課題】
【０００４】
本考案は上記従来事情に鑑みてなされたもので、その目的とする処は、台紙、色紙や、絵本、童話図書、百科事典、技術文献等の表裏板として利用される段ボール，板紙，厚紙等の比較的強度のある補強対象板の隅角部を含むコーナーを効果的に補強して耐久性の向上を図る構造簡単なコーナー補強シールを提供することにある。
【課題を解決するための手段】
【０００５】
前記課題を解決するために講じた技術的手段は、接着材を塗布した面状片の一部に、補強対象板のコーナーを挟む直角二辺から折り込まれる辺用補強片を設けると共に、前記辺用補強片間の同面状片部分に前記辺用補強片と同方向に折り込まれるコーナー用補強片を設けてなり、前記面状片を補強対象板コーナーの表面に接着し、前記補強対象板の隅角部を含むコーナーを補強するようにそのコーナーの裏面に前記コーナー用補強片を折り込み接着し、且つ前記両辺用補強片を、前記補強対象板のコーナーを挟む直角二辺各々からコーナー用補強片の表面に重なるように折り込み接着することを特徴とするコーナー補強シールである（請求項１）。
ここで、前記両片用補強片の平面形状は、台形板状、略台形板状、円弧形状等、任意である。
【０００６】
以上の手段によれば、補強対象板コーナーの隅角部が露出しないようにコーナー用補強片で保護する。
そして、そのコーナー用補強片表面上に両辺用補強片を折り込み接着して、補強対象板コーナーの隅角部を強固にくるむ。
また、両辺用補強片は、端面をコーナーを挟む直角二辺に沿って現すことなくそのコーナー用補強片表面上に折り込み接着されて、補強対象板コーナーを挟む直角二辺を保護する。
【０００７】
また、前記面状片を、前記のように両辺用補強片をコーナー用補強片の表面に重なるように折り込み接着する時に、コーナー用補強片の表面上方に位置する辺用補強片部分が全てコーナー用補強片表面に接着される平面形状に形成すると、有効なものである（請求項２）。
この種のコーナー補強シールは、複数片が一枚の離型紙に剥離可能に貼着されており、補強対象板に接着する際には、離型紙から剥離して接着される。
その際、例えば図６、図７に示すような、例えば４５度傾斜角度の第１折り線ａ、ａを両側に設けた取付本体１と、その取付本体１の両第１折り線ａ、ａの接近側の端部に設けた第２折り線ｂを介して連設されたコーナー用補強片２と、取付本体１の前記第１折り線ａ、ａを介して連設された辺用補強片３、３とで面状片を形成し、コーナー用補強片２と辺用補強片３との間に余白部４を折り込み可能に形成した平面視形状のものにあっては、補強対象板Ｂの隅角部Ｂ’を含むコーナーを補強するように取付本体１を補強対象板Ｂのコーナー表面に接着した状態でそのコーナー用補強片２を補強対象板Ｂのコーナー裏面に接着した後、辺用補強片３を折り込み接着すると、余白片４の表面である非接着面（ハッチング部分）と、コーナー用補強片２の表面である非接着面（ハッチング部分）とが重なり合う関係のまま接着されて、辺用補強片３がコーナー用補強片２に接着されずに固定される状況を作ってしまう。
この請求項２では、補強対象板Ｂコーナー裏面にコーナー用補強片２を折り込み接着する時、コーナー用補強片２に重合接着する余白片４を折り込み可能に形成しない平面形状の面状片に形成して、辺用補強片３においてコーナー用補強片２に臨む部分全体をコーナー用補強片２表面にしっかりと接着できるようにしている。
【考案の効果】
【０００８】
本考案は以上のように構成したから下記の利点がある。
（請求項１）補強対象板の隅角部を含むコーナーをコーナー用補強片で保護した上に、そのコーナー用補強片表面上に補強対象板のコーナーを挟む辺用補強片を折り込み接着しているので、そのコーナー用補強片と辺用補強片とで補強対象板コーナーの隅角部をしっかりくるむことができる。
しかも、その辺用補強片は折り込み端面を補強対象板のコーナーを挟む直角二辺に沿って現さずにその直角二辺を保護するものであるから、隅角部を含むコーナー一帯を補強して、その隅角部は勿論のことその近傍が外部に露出して障害物に衝突したり擦過することなく保護できるし、辺用補強片が剥がされる虞れが全くなく、補強対象板のコーナーを効果的に保護して耐久性を向上させる簡単構造のコーナー補強シールを提供することができる。
【０００９】
（請求項２）その上、両辺用補強片をコーナー用補強片の表面に重なるように折り込み接着する時に、コーナー用補強片に表面上に位置する部分が全てコーナー用補強片に接着される平面形状に形成するようにしているので、補強対象板コーナー裏面にコーナー用補強片を折り込み接着する時、コーナー用補強片に重合接着する余白片が折り込み可能に形成される図６、図７の平面視形状のもののように、余白片の表面である非接着面（ハッチング部分）と、コーナー用補強片の表面である非接着面（ハッチング部分）とが接着されずに重なり合う関係のまま接着されてしまうようなことはなく、辺用補強片をしっかりと接着固定することができる。
【考案を実施するための最良の形態】
【００１０】
次ぎに、本考案コーナー補強シールの実施の形態を図１〜図５に基づいて説明する。
図面において、符号Ａはコーナー補強シールである。
【実施例１】
【００１１】
図１〜図５に示す第１の実施の形態のコーナー補強シールを説明すると、コーナー補強シールＡは、図１等に示すように、４５度傾斜角度の第１折り線ａ、ａを両側に設けた取付本体１と、その取付本体１の両第１折り線ａ、ａの接近側の端部に設けた短寸な第２折り線ｂを介して連設されたコーナー用補強片２と、同取付本体１の前記第１折り線ａ、ａを介して連設された辺用補強片３、３とで面状片を構成している。
【００１２】
また、このコーナー補強シールＡは、紙製、合成樹脂製、布製等であり、図示しないが複数片が一枚の離型紙に剥離可能に貼着されている。
【００１３】
一方、コーナー用補強片２、２は、図１等に示すように第２折り線ｂ側とは逆側に辺部に直角部を有する切欠き２ｃを設けて、形成されている。
【００１４】
前記辺用補強片３は、図１等に示すように前記第１折り線ａを下辺とするように取付本体１に台形板状もしくは略台形板状をもって連設されている。
【００１５】
そして、前記面状片は、前記のように両辺用補強片３をコーナー用補強片２の表面に重なるように折り込み接着する時に、コーナー用補強片２に表面上に位置する部分が全てコーナー用補強片２に接着される平面形状に形成されている。
即ち、図６、図７に示すような補強対象板Ｂコーナー裏面にコーナー用補強片２を折り込み接着する時、コーナー用補強片２に重合接着される余白片４が残置されない平面視形状に形成されている。
【００１６】
このコーナー補強シールＡによる補強対象板Ｂは、台紙、色紙や、絵本、童話図書、百科事典、技術文献等の表裏板として使用される段ボール紙，板紙，厚紙，ハードカバー等である。
【００１７】
このように構成されたコーナー補強シールＡは、第２折り線ｂが補強対象板Ｂコーナーの隅角部Ｂ’に近接し、第１折り線ａ、ａが補強対象板Ｂコーナーを挟む直角な辺Ｂ１、Ｂ１に沿うレイアウトで前記取付本体１を補強対象板Ｂコーナーの表面に接着する（図２参照）。
そして、図３に示すようにコーナー用補強片２を第２折り線ｂから補強対象板Ｂの裏面方向に折り込んで、補強対象板Ｂの裏面に接着する。
これによって補強対象板Ｂの隅角部Ｂ’を含むコーナーはコーナー用補強片２で覆われ、保護される。
続いて、図４、図５に示すように左右の辺用補強片３、３を第１折り線ａ、ａから補強対象板Ｂの裏面側に折り込んでコーナー用補強片２表面及び補強対象板Ｂの裏面に亘って接着する。
これによって、コーナー補強シールＡの接着作業が終了する。
【００１８】
コーナー補強シールＡは、補強対象板Ｂの隅角部Ｂ’を含むコーナーを、折り込み接着するコーナー用補強片２で保護した上に、コーナー用補強片２を折り込み接着された辺用補強片３で補強して、補強対象板Ｂの隅角部Ｂ’をコーナー用補強片２と辺用補強片３、３とで強固にくるむことができる。しかも、その辺用補強片３、３をコーナー用補強片２表面上に剥離しないようにしっかりと接着され、その上、その辺用補強片３、３は、端面１３、１３が折り込み側のコーナー辺Ｂ１、Ｂ１に臨まず、コーナー辺Ｂ１に触る手指で剥される虞れがない。
【図面の簡単な説明】
【００１９】
【図１】第１の実施の形態のコーナー補強シールの展開図。
【図２】補強対象板のコーナーに接着しようとする状態を示す斜視図。
【図３】コーナー用補強片を折り込んで補強対象板の裏面に接着した状態を示す斜視図。
【図４】片側の辺用補強片を折り込み接着した状態を示す斜視図。
【図５】両辺用補強片を折り込み接着した状態を示す斜視図。
【図６】参考例で示したコーナー補強シールの展開図。
【図７】図６のコーナー補強シールの折り込み途中の状態を示す斜視図。
【図８】従来例を示し、補強対象板のコーナーに接着しようとする状態を示す斜視図。
【図９】片側の辺用補強片を折り込み接着し、他側の辺用補強片を折り込み接着しようとする状態を示す斜視図。
【図１０】両辺用補強片を折り込み接着した状態を示す斜視図。
【符号の説明】
【００２０】
Ａ：コーナー補強シール  Ｂ：補強対象板
１：取付本体            ３：辺用補強片
２：コーナー用補強片    ａ：第１折り線
ｂ：第２折り線        Ｂ’:隅角部
Ｂ１:辺（コーナーを挟むその直角二辺）
【図１】
0003107785.tif 000003
【図２】
0003107785.tif 000004
【図３】
0003107785.tif 000005
【図４】
0003107785.tif 000006
【図５】
0003107785.tif 000007
【図６】
0003107785.tif 000008
【図７】
0003107785.tif 000009
【図８】
0003107785.tif 000010
【図９】
0003107785.tif 000011
【図１０】
0003107785.tif 000012